【事件の表示】
　平成　８年特許願第　４６１２２号「冗長化アナログ出力装置」拒絶査定に対する審判事件〔平成　９年　９月　９日出願公開、特開平　９−２３７１０１、請求項の数（５）〕について、次のとおり審決する。
【結　論】
　原査定を取り消す。
　本願の発明は、特許すべきものとする。
【理　由】
１．手続の経緯・本願発明
　本願は、 平成８年３月４日の出願であって、その請求項１ないし５に係る発明は、平成１３年１１月５日付け手続補正書により補正された明細書及び願書に最初に添付された図面の記載からみて、本願の特許請求の範囲の請求項１ないし５に記載されたとおりの、以下のものであると認められる。（以下、それぞれ「本願発明１ないし５」という。）
「【請求項１】　上位制御装置に接続され、前記上位制御装置から送信された出力データに比例して、同一の対象プラントに向けて選択的に電流信号を外部伝送ラインに出力する電流信号出力部を有した常用局及び待機局からなる冗長化アナログ出力装置であって、
　前記常用局及び待機局は、前記電流信号出力部と前記外部伝送ラインとの間に外部出力抽出用抵抗が設けられ、且つこの外部出力抽出用抵抗と前記電流信号出力部との間から電気的に分岐させてスイッチング素子が接続され、このスイッチング素子と直列に自己消費抽出用抵抗が設けられた構造を有し、
　前記常用局は、前記外部出力抽出用抵抗を介して抽出される信号の値に基づいて外部出力に関する自己診断を実行すると共に、前記自己消費用抽出抵抗を介して抽出される信号の値に基づいて自己消費に関する自己診断を実行し、前記抽出される信号の値と前記出力データとの差が許容値を越えるとき、異常原因の指摘を含む出力異常を前記上位制御装置に通知し、
　前記待機局は、前記自己消費用抽出抵抗を介して抽出される信号の値に基づいて自己消費に関する自己診断を実行すると共に、前記外部出力抽出用抵抗を介して抽出される信号の値に基づいて外部出力に関する自己診断を実行し、前記抽出される信号の値と前記出力データとの差が許容値を越えるとき、異常原因の指摘を含む出力異常を前記上位制御装置に通知することを特徴とする冗長化アナログ出力装置。
　【請求項２】　請求項１に記載の冗長化アナログ出力装置において、
　前記待機局は、前記自己消費に関する自己診断の結果が異常を示すとき、ソフトウエア処理により、自局の電流信号出力部から送出される電流信号を零値とすることを特徴とする冗長化アナログ出力装置。
　【請求項３】　請求項１に記載の冗長化アナログ出力装置において、
　前記電流信号出力部は、複数の電流信号を異なる対象プラントに向けて個別に出力するための複数の出力端子を有し、
　前記各出力端子は、夫々互いに異なる前記外部出力抽出用抵抗、前記スイッチング素子及び前記自己消費抽出用抵抗からなる電流ラインに接続され、
　前記電流信号出力部から出力される各電流信号を個別に抽出する構造を備えたことを特徴とする冗長化アナログ出力装置。
　【請求項４】　請求項３に記載の冗長化アナログ出力装置において、
　前記待機局は、前記電流信号の出力整定の待ち時間中、前記外部出力抽出用抵抗を介して信号を抽出し、この抽出された信号の値が零値を越えて異常を示すとき、ソフトウエア処理により、自局の電流信号出力部のうちの該当する出力端子から送出される電流信号を零値とすることを特徴とする冗長化アナログ出力装置。
　【請求項５】　上位制御装置に接続され、前記上位制御装置から送信された出力データに比例して、同一の対象プラントに向けて選択的に電流信号を外部伝送ラインに出力する電流信号出力部を有した常用局及び待機局からなる冗長化アナログ出力装置であって、
　前記常用局及び待機局は、前記電流信号出力部と前記外部伝送ラインとの間に外部出力抽出用抵抗及び逆流防止ダイオードが設けられ、且つこの外部出力抽出用抵抗と前記電流信号出力部との間から電気的に分岐させてスイッチング素子が接続され、このスイッチング素子と直列に自己消費抽出用抵抗が設けられ、前記スイッチング素子をＮＡＮＤ回路を介してオンオフ制御する切替制御部が設けられた構造を有し、
　前記常用局は、前記外部出力抽出用抵抗を介して抽出される信号の値に基づいて外部出力に関する自己診断を実行し、前記抽出される信号の値が前記出力データよりも許容差を越えて低いとき、前記自己消費用抽出抵抗の両端電位差が出力データに近い値であれば、前記切替制御部の故障によるスイッチング素子のオン動作又は前記スイッチング素子の短絡故障が異常原因である旨の指摘を含む出力異常を前記上位制御装置に通知し、前記自己消費用抽出抵抗の両端電位差が約零値であれば、前記逆流防止ダイオードのオープン故障、前記外部伝送ラインの断線故障又は漏れ電流の増加による電流信号の低下が異常原因である旨の指摘を含む出力異常を前記上位制御装置に通知し、
　前記待機局は、前記自己消費用抽出抵抗を介して抽出される信号の値に基づいて自己消費に関する自己診断を実行し、前記自己消費用抽出抵抗を介して抽出される信号の値が約零値であれば、前記切替制御部の故障によるスイッチング素子のオン動作又は前記スイッチング素子のオープン故障が異常原因である旨の指摘を含む出力異常を前記上位制御装置に通知し、前記自己消費用抽出抵抗の両端電位差が前記出力データの約２倍であれば、前記逆流防止ダイオードの短絡故障が異常原因である旨の指摘を含む出力異常を前記上位制御装置に通知することを特徴とする冗長化アナログ出力装置。」
　
２．拒絶の理由
　原査定の拒絶の理由の概要は、本願の出願前である平成５年８月６日に頒布された特開平５−１９９５７０号公報(以下、「引用例」という。)を引用し、本願発明１ないし５は、引用例に記載された発明に基づいて、当業者が容易に発明をすることができたものであるから、特許法第２９条第２項の規定により特許を受けることができないというものである。
　
３．対比・判断
（１）本願発明１について
　本願発明１と、引用例に記載された発明とを対比すると、本願発明１の構成の一部である、「外部出力抽出用抵抗と電流信号出力部との間から電気的に分岐させて接続されたスイッチング素子と、このスイッチング素子と直列に設けられた自己消費抽出用抵抗」は、引用例には記載されていない。そして、本願発明１は、上記構成を備えることにより、常用局が外部出力抽出用抵抗を介して抽出される信号の値及び自己消費用抽出抵抗を介して抽出される信号の値に基づいて外部出力に関する自己診断を実行し、待機局が自己消費用抽出抵抗を介して抽出される信号の値及び外部出力抽出用抵抗を介して抽出される信号の値に基づいて自己消費に関する自己診断を実行するので、対象プラントに出力される電流信号の異常をいち早く確実に検出できるとともに、常用局及び待機局は、自己診断の結果、抽出される信号の値と出力データとの差が許容値を越えるとき、異常原因の指摘を含む出力異常を上位制御装置に通知することができるという、明細書に記載された作用効果を奏するものと認められる。
　
（２）本願発明２ないし４について
　本願発明２ないし４は、いずれも本願発明１の構成をすべて含むものであり、更にその構成の一部に限定を加えたものであるから、前記本願発明１についてと同様、引用例に記載されていない上記構成を備え、また本願発明１と同様の作用効果を奏するものと認められる。
　
（３）本願発明５について
  本願発明５と、引用例に記載された発明とを対比すると、本願発明５の構成の一部である、「外部出力抽出用抵抗と電流信号出力部との間から電気的に分岐させて接続されたスイッチング素子と、このスイッチング素子と直列に設けられた自己消費抽出用抵抗」は、引用例には記載されていない。そして、本願発明５は、上記構成を備えることにより、常用局が外部出力抽出用抵抗を介して抽出される信号の値及び自己消費用抽出抵抗を介して抽出される信号の値に基づいて外部出力に関する自己診断を実行し、待機局が自己消費用抽出抵抗を介して抽出される信号の値及び外部出力抽出用抵抗を介して抽出される信号の値に基づいて自己消費に関する自己診断を実行するので、対象プラントに出力される電流信号の異常をいち早く確実に検出できるとともに、常用局及び待機局は、自己診断の結果、抽出される信号の値と出力データとの差が許容値を越えるとき、異常原因の指摘を含む出力異常を上位制御装置に通知することができるという、明細書に記載された作用効果を奏するものと認められる。
　
４．むすび
　したがって、本願発明１ないし５は、引用例に記載された発明に基づいて当業者が容易に発明をすることができたものであると認めることはできない。
　また、他に本願を拒絶すべき理由を発見しない。
　よって、結論のとおり審決する。